(57)【特許請求の範囲】
【請求項１】
複数の見出し語と同各見出し語の説明情報とを対応付けて記憶する辞書記憶手段と、
この辞書記憶手段により記憶された複数の見出し語の中からユーザ操作に応じて任意の見出し語を検索する見出し語検索手段と、
この見出し語検索手段により検索された見出し語をユーザ操作に応じて単語帳に登録する単語帳登録手段と、
この単語帳登録手段により登録された単語の中から１つの単語をユーザ操作に応じて選択する登録単語選択手段と、
この登録単語選択手段により選択された単語を含む一連の見出し語を前記辞書記憶手段により記憶された複数の見出し語の中から検索し一覧にして表示する見出し語一覧表示手段と、
を備えたことを特徴とする辞書機能を備えた電子機器。
【請求項２】
前記登録単語選択手段により選択された単語に対応する見出し語を前記辞書記憶手段により記憶された複数の見出し語の中から検索し、同検索された見出し語に対応する説明情報を読み出して表示する説明情報表示手段と、
前記登録単語選択手段により選択された単語について、前記見出し語一覧表示手段により同単語を含む一連の見出し語を一覧表示するかまたは前記説明情報表示手段により同単語に対応する説明情報を表示するかを、ユーザ操作に応じて指定する表示方式指定手段と、
を備えたことを特徴とする請求項１に記載の辞書機能を備えた電子機器。
【請求項３】
前記表示方式指定手段は、前記単語帳登録手段により前記検索された見出し語をユーザ操作に応じて単語帳に登録するのに伴い、同見出し語を含む一連の見出し語を一覧表示するかまたは同見出し語に対応する説明情報を表示するかを指定することを特徴とする請求項２に記載の辞書機能を備えた電子機器。
【請求項４】
前記単語帳登録手段は、前記検索された見出し語を、前記表示方式指定手段により前記一連の見出し語を一覧表示することが指定された場合は第１の単語帳に登録し、前記説明情報を表示することが指定された場合は第２の単語帳に登録する手段を有し、
前記登録単語選択手段は、前記単語帳登録手段により第１および第２の単語帳に登録された単語の中から１つの単語をユーザ操作に応じて選択し、
前記見出し語一覧表示手段は、前記登録単語選択手段により前記第１の単語帳から選択された単語を含む一連の見出し語を前記辞書記憶手段により記憶された複数の見出し語の中から検索し一覧にして表示し、
前記説明情報表示手段は、前記登録単語選択手段により前記第２の単語帳から選択された単語に対応する見出し語を前記辞書記憶手段により記憶された複数の見出し語の中から検索し、同検索された見出し語に対応する説明情報を読み出して表示する、
ことを特徴とする請求項３に記載の辞書機能を備えた電子機器。
【請求項５】
前記表示方式指定手段は、前記登録単語選択手段により前記登録された単語の中から１つの単語をユーザ操作に応じて選択するのに伴い、同単語を含む一連の見出し語を一覧表示するかまたは同単語に対応する説明情報を表示するかを指定することを特徴とする請求項２に記載の辞書機能を備えた電子機器。
【請求項６】
電子機器のコンピュータを、
複数の見出し語と同各見出し語の説明情報とを対応付けてメモリに記憶させる辞書記憶手段、
この辞書記憶手段により記憶された複数の見出し語の中からユーザ操作に応じて任意の見出し語を検索し表示部に表示させる見出し語検索手段、
この見出し語検索手段により検索された見出し語をユーザ操作に応じて単語帳メモリに登録する単語帳登録手段、
この単語帳登録手段により登録された単語の中から１つの単語をユーザ操作に応じて選択する登録単語選択手段、
この登録単語選択手段により選択された単語を含む一連の見出し語を前記辞書記憶手段により記憶された複数の見出し語の中から検索し前記表示部に一覧にして表示させる見出し語一覧表示手段、
として機能させるためのプログラム。
【発明の詳細な説明】
【技術分野】
【０００１】
本発明は、辞書機能を備えた電子機器およびその制御プログラムに関する。
【背景技術】
【０００２】
従来から電子辞書装置には単語帳登録機能を備えたものがある。
【０００３】
この従来の電子辞書装置における単語帳登録機能では、辞書検索した任意の単語を単語帳メモリに保存して登録する。そして、単語帳に登録した単語を見る場合は、登録された単語の一覧表示から所望の単語を指定することで、指定された単語の説明情報が辞書データから読み出されて表示される。
【０００４】
辞書データから任意の単語を検索した後に、同単語およびその説明情報を選択して単語帳へ登録する。登録した単語をアルファベット順や品詞などの順に呼出して確認することにより、単語の暗記学習に用いることのできる単語帳機能付電子辞書が考えられている（例えば、特許文献１参照。）。
【０００５】
辞書データから任意の単語を検索してその説明情報を表示させ、手書きのメモ「見出しメモ」を入力すると、同「見出しメモ」が前記検索された単語に対応付けられて登録される。登録された「見出しメモ」の一覧表示から、所望の「見出しメモ」を指定して同「見出しメモ」に対応付けられた単語およびその説明情報を表示させることで、メモを付箋のように辞書に貼り付けることのできる電子辞書装置が考えられている（例えば、特許文献２参照。）。
【先行技術文献】
【特許文献】
【０００６】
【特許文献１】特開平０７−２３４８７４号公報
【特許文献２】特開２００９−１４６２２３号公報
【発明の概要】
【発明が解決しようとする課題】
【０００７】
従来の電子辞書装置における単語の登録機能では、何れの場合でも、単語帳から一単語を取り出してその説明情報を表示させるだけである。
【０００８】
しかしながら、辞書における一つの単語の周辺には同単語に関連する単語が連なって集録されている場合が多く、単語帳から一単語を取り出してその説明情報を表示させるだけでは、書籍の辞書のように単語を学習し理解するのは難しい。
【０００９】
本発明は、このような課題に鑑みなされたもので、単語帳に登録された単語を呼び出す際に、書籍の辞書のように単語を学習し理解することが可能になる辞書機能を備えた電子機器およびその制御プログラムを提供することを目的とする。
【課題を解決するための手段】
【００１０】
請求項１に記載の辞書機能を備えた電子機器は、複数の見出し語と同各見出し語の説明情報とを対応付けて記憶する辞書記憶手段と、この辞書記憶手段により記憶された複数の見出し語の中からユーザ操作に応じて任意の見出し語を検索する見出し語検索手段と、この見出し語検索手段により検索された見出し語をユーザ操作に応じて単語帳に登録する単語帳登録手段と、この単語帳登録手段により登録された単語の中から１つの単語をユーザ操作に応じて選択する登録単語選択手段と、この登録単語選択手段により選択された単語を含む一連の見出し語を前記辞書記憶手段により記憶された複数の見出し語の中から検索し一覧にして表示する見出し語一覧表示手段と、を備えたことを特徴としている。
【００１１】
請求項２に記載の辞書機能を備えた電子機器は、前記請求項１に記載の辞書機能を備えた電子機器において、前記登録単語選択手段により選択された単語に対応する見出し語を前記辞書記憶手段により記憶された複数の見出し語の中から検索し、同検索された見出し語に対応する説明情報を読み出して表示する説明情報表示手段と、前記登録単語選択手段により選択された単語について、前記見出し語一覧表示手段により同単語を含む一連の見出し語を一覧表示するかまたは前記説明情報表示手段により同単語に対応する説明情報を表示するかを、ユーザ操作に応じて指定する表示方式指定手段と、を備えたことを特徴としている。
【００１２】
請求項３に記載の辞書機能を備えた電子機器は、前記請求項２に記載の辞書機能を備えた電子機器において、前記表示方式指定手段は、前記単語帳登録手段により前記検索された見出し語をユーザ操作に応じて単語帳に登録するのに伴い、同見出し語を含む一連の見出し語を一覧表示するかまたは同見出し語に対応する説明情報を表示するかを指定することを特徴としている。
【００１３】
請求項４に記載の辞書機能を備えた電子機器は、前記請求項３に記載の辞書機能を備えた電子機器において、前記単語帳登録手段は、前記検索された見出し語を、前記表示方式指定手段により前記一連の見出し語を一覧表示することが指定された場合は第１の単語帳に登録し、前記説明情報を表示することが指定された場合は第２の単語帳に登録する手段を有し、前記登録単語選択手段は、前記単語帳登録手段により第１および第２の単語帳に登録された単語の中から１つの単語をユーザ操作に応じて選択し、前記見出し語一覧表示手段は、前記登録単語選択手段により前記第１の単語帳から選択された単語を含む一連の見出し語を前記辞書記憶手段により記憶された複数の見出し語の中から検索し一覧にして表示し、前記説明情報表示手段は、前記登録単語選択手段により前記第２の単語帳から選択された単語に対応する見出し語を前記辞書記憶手段により記憶された複数の見出し語の中から検索し、同検索された見出し語に対応する説明情報を読み出して表示する、ことを特徴としている。
【００１４】
請求項５に記載の辞書機能を備えた電子機器は、前記請求項２に記載の辞書機能を備えた電子機器において、前記表示方式指定手段は、前記登録単語選択手段により前記登録された単語の中から１つの単語をユーザ操作に応じて選択するのに伴い、同単語を含む一連の見出し語を一覧表示するかまたは同単語に対応する説明情報を表示するかを指定することを特徴としている。
【００１５】
請求項６に記載のプログラムは、電子機器のコンピュータを、複数の見出し語と同各見出し語の説明情報とを対応付けてメモリに記憶させる辞書記憶手段、この辞書記憶手段により記憶された複数の見出し語の中からユーザ操作に応じて任意の見出し語を検索し表示部に表示させる見出し語検索手段、この見出し語検索手段により検索された見出し語をユーザ操作に応じて単語帳メモリに登録する単語帳登録手段、この単語帳登録手段により登録された単語の中から１つの単語をユーザ操作に応じて選択する登録単語選択手段、この登録単語選択手段により選択された単語を含む一連の見出し語を前記辞書記憶手段により記憶された複数の見出し語の中から検索し前記表示部に一覧にして表示させる見出し語一覧表示手段、として機能させることを特徴としている。
【発明の効果】
【００１６】
本発明によれば、単語帳に登録された単語を呼び出す際に、書籍の辞書のように単語を学習し理解することが可能になる辞書機能を備えた電子機器およびその制御プログラムを提供できる。
【図面の簡単な説明】
【００１７】
【図１】本発明の辞書機能を備えた電子機器の実施形態に係る電子辞書装置１０の外観構成を示す正面図。
【図２】前記電子辞書装置１０の電子回路の構成を示すブロック図。
【図３】前記電子辞書装置１０の第１実施形態の単語帳データメモリ２２ｃに登録される各単語（見出し語）の記憶状態を示す図。
【図４】前記電子辞書装置１０による第１実施形態の辞書検索処理を示すフローチャート。
【図５】前記電子辞書装置１０による第１実施形態の単語帳読み出し処理を示すフローチャート。
【図６】前記電子辞書装置１０による第１実施形態の辞書検索処理と単語帳読み出し処理に伴うユーザ操作に応じた表示動作を示す図。
【図７】前記電子辞書装置１０による第２実施形態の単語帳読み出し処理を示すフローチャート。
【図８】前記電子辞書装置１０による第２実施形態の単語帳読み出し処理に伴うユーザ操作に応じた表示動作を示す図。
【発明を実施するための形態】
【００１８】
以下図面により本発明の実施の形態について説明する。
【００１９】
（第１実施形態）
図１は、本発明の辞書機能を備えた電子機器の実施形態に係る電子辞書装置１０の外観構成を示す正面図である。
【００２０】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００２１】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る」キー１４ｄ、カーソルキー１４ｅ、「単語帳」キー１４ｆ、「登録」キー１４ｇなどを備えたキー入力部（キーボード）１４、および手書き入力部（サブ画面）１５が備えられる。
【００２２】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットのカラー液晶表示画面１５ｄに透明タッチパネル１５ｔを重ねて構成される。この手書き入力部１５の入力領域は、必要に応じて、手書き文字を入力するための手書き文字入力領域や各種機能のボタン入力領域、あるいは当該各入力領域が混在する領域に切り替えられる。
【００２３】
そして、前記手書き入力部１５が手書き文字入力領域に切り替えられた状態での手書き入力に伴う軌跡はそのカラー液晶表示画面１５ｄにエコーバックして表示される。
【００２４】
また蓋体ケース１２の表面には、そのほぼ全面を対象に例えば４８０×３２０ドットのバックライト付きのタッチパネル式表示部（メイン画面）１６が設けられる。このタッチパネル式表示部（メイン画面）１６も、前記手書き入力部（サブ画面）１５と同様に、ユーザがペンや指等でタッチした位置を検出するタッチ位置検出装置と表示装置が一体となった構造であり、そのカラー液晶表示画面１６ｄに透明タッチパネル１６ｔを重ねて構成される。
【００２５】
図２は、前記電子辞書装置１０の電子回路の構成を示すブロック図である。
【００２６】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２７】
ＣＰＵ２１は、主記憶装置（フラッシュＲＯＭ）２２内に予め記憶された装置制御プログラム２２ａ、あるいはＲＯＭカードなどの外部記憶媒体２３から記憶媒体読み書き部２４を介して前記主記憶装置２２に読み込まれた装置制御プログラム２２ａ、あるいはインターネットＮ上のＷｅｂサーバ（この場合はプログラムサーバ）３０から外部インターフェイス２５を介して前記主記憶装置２２に読み込まれた装置制御プログラム２２ａに応じて、ＲＡＭ２６を作業用メモリとして回路各部の動作を制御する。
【００２８】
前記主記憶装置２２に記憶された装置制御プログラム２２ａは、キー入力部１４、手書き入力部１５、タッチパネル式表示部１６からのユーザ操作に応じた入力信号、あるいは外部インターフェイス２５を介して接続されるインターネットＮ上の各Ｗｅｂサーバ３０…との通信信号に応じて起動される。
【００２９】
このように、前記ＣＰＵ２１には、前記主記憶装置２２、記憶媒体読み書き部２４、外部インターフェイス２５、ＲＡＭ２６、キー入力部１４、手書き入力部１５、タッチパネル式表示部１６が接続される。
【００３０】
主記憶装置２２には、装置制御プログラム２２ａとして、当該電子辞書装置１０の全体の動作を司るシステムプログラムや外部インターフェイス２５を介してインターネットＮ上の各Ｗｅｂサーバ３０…や図示しないユーザＰＣ(Personal Computer)などとデータ通信するための通信プログラムが記憶される。また他に、辞書機能における見出し語検索処理、検索見出し語の一覧表示処理、カーソルＣにより指定された見出し語に対応する訳語・意味内容・例文（用例）などの各種説明情報の読み出し表示処理など、同主記憶装置２２内に記憶された辞書データベース２２ｂに基づく検索・表示処理全般を制御するための辞書検索プログラムが記憶される。さらに、前記辞書検索されて表示された説明情報の表示画面において、同説明情報に対応する見出し語（単語）を単語帳データメモリ２２ｃに登録したり、同単語帳データメモリ２２ｃに登録された見出し語（単語）を読み出して一覧表示させ、指定の見出し語の説明情報を表示させたりするための単語帳処理プログラムが記憶される。
【００３１】
辞書データベース２２ｂには、例えば英語の見出し語（単語）に対応付けて日本語の説明情報が記述された［英和辞書］、日本語の見出し語（単語）に対応付けて英語の説明情報が記述された［和英辞書］をはじめ、［国語辞書］［英英辞書］など、複数種類の辞書データが、予め記憶されるかあるいはダウンロードされて記憶される。
【００３２】
図３は、前記電子辞書装置１０の第１実施形態の単語帳データメモリ２２ｃに登録される各単語（見出し語）の記憶状態を示す図である。
【００３３】
この単語帳データメモリ２２ｃに登録される各単語（見出し語）には、同単語が集録されている辞書名と、ユーザにより選択された同単語の読み出し方式（“普通”又は“ブックマーク”）とが対応付けられて記憶される。
【００３４】
単語帳の読み出し処理に際して、“普通”の読み出し方式が対応付けられて登録された単語は、同単語に対応する説明情報が該当する辞書から直ちに読み出されて表示される。また、“ブックマーク”の読み出し方式が対応付けられて登録された単語は、同単語を含む見出し語一覧が該当する辞書から読み出されて表示された後に、この見出し語一覧の中でユーザにより指定された単語に対応する説明情報が読み出されて表示される。
【００３５】
次に、前記構成による電子辞書装置１０の第１実施形態の単語帳登録機能について説明する。
【００３６】
図４は、前記電子辞書装置１０による第１実施形態の辞書検索処理を示すフローチャートである。
【００３７】
図５は、前記電子辞書装置１０による第１実施形態の単語帳読み出し処理を示すフローチャートである。
【００３８】
図６は、前記電子辞書装置１０による第１実施形態の辞書検索処理と単語帳読み出し処理に伴うユーザ操作に応じた表示動作を示す図である。
【００３９】
・辞書検索処理
例えば、図６（Ａ）に示すように、辞書指定キー［英和］１４ｂのユーザ操作に応じて辞書データベース２２ｂの［英和辞書］が指定され（ステップＳ１）、検索語「success」が入力されると（ステップＳ２）、入力された検索語と一致する見出し語「success」が前記［英和辞書］から検索される（ステップＳ３）。
【００４０】
そして、前記検索された見出し語「success」に対応する説明情報が前記［英和辞書］から読み出され、説明情報表示画面Ｇとしてタッチパネル式表示部１６に表示される（ステップＳ４）。
【００４１】
この見出し語「success」に対応する説明情報表示画面Ｇの表示状態において、図６（Ｂ）に示すように、同見出し語「success」を単語帳に登録するために「登録」キー１４ｇが操作されると（ステップＳ５（Ｙｅｓ））、“ブックマーク”の読み出し方式として登録する「はい」か、またはしない「いいえ」（“普通”の読み出し方式として登録）かのユーザ選択を促す登録方式選択ウインドウＷ１が表示される（ステップＳ６）。
【００４２】
この登録方式選択ウインドウＷ１において、“ブックマーク”の読み出し方式として登録する「はい」が選択されると（ステップＳ７（Ｙｅｓ））、図３で示したように、前記検索表示された見出し語（単語）「success」が、その辞書名「英和」と前記選択された読み出し方式“ブックマーク”とを対応付けて単語帳データメモリ２２ｃに登録される（ステップＳ８）。
【００４３】
一方、前記登録方式選択ウインドウＷ１において、“ブックマーク”の読み出し方式として登録しない「いいえ」（“普通”の読み出し方式として登録）が選択されると（ステップＳ７（Ｎｏ））、前記検索表示された見出し語（単語）が、その辞書名と前記選択された読み出し方式“普通”とを対応付けて単語帳データメモリ２２ｃに登録される（ステップＳ９）。
【００４４】
このような辞書検索処理に従い、単語帳データメモリ２２ｃに登録される各単語は、その単語毎に、ユーザにより選択された読み出し方式（“ブックマーク”又は“普通”）と対応付けられて登録される。
【００４５】
・単語帳読み出し処理
単語帳を見たい場合に、図６（Ｃ）に示すように、「単語帳」キー１４ｆが操作されると、単語帳データメモリ２２ｃ（図３参照）に登録された各単語がその辞書名に対応付けて読み出され、登録単語一覧画面Ｇ１としてタッチパネル式表示部１６に表示される（ステップＴ１）。
【００４６】
この登録単語一覧画面Ｇ１において、カーソルＣを操作移動させてユーザ所望の単語「success」が選択されると（ステップＴ２）、単語帳データメモリ２２ｃにおいて、同単語「success」がブックマーク式の読み出し方式“ブックマーク”として登録されているか否か判断される（ステップＴ３）。
【００４７】
ここで、前記選択された単語「success」がブックマーク式の読み出し方式“ブックマーク”として登録されていると判断されると（ステップＴ３（ｙｅｓ））、同単語（見出し語）「success」が集録されている［英和辞書］（２２ｂ）から、同単語を中央に含めその前後に表示可能な各見出し語が読み出され、図６（Ｄ）に示すように、見出し語一覧エリアＡｍと説明情報プレビューエリアＡｓからなる見出し語一覧画面Ｇ２としてタッチパネル式表示部１６に表示される（ステップＴ４）。
【００４８】
この際、単語帳（２２ｃ）から選択された単語「success」と共に、その前後に連なり辞書に記憶されている関係する単語（見出し語）も読み出されて一覧表示されるので、登録単語の前後にある単語も必要に応じて調べることが可能になり、書籍の辞書のように単語を学習し理解することができる。
【００４９】
この見出し語一覧画面Ｇ２において、見出し語一覧エリアＡｍのカーソルＣを操作移動させてユーザ所望の見出し語が指定されると（ステップＴ５）、同指定の見出し語が前記［英和辞書］（２２ｂ）から検索されると共に同見出し語に対応する説明情報が読み出され、説明情報表示画面Ｇとしてタッチパネル式表示部１６に表示される（ステップＴ６）。
【００５０】
一方、前記登録単語一覧画面Ｇ１においてカーソルＣを操作移動させて選択された単語が、単語帳データメモリ２２ｃに“普通”の読み出し方式として登録されていると判断されると（ステップＴ３（ｙｅｓ））、同単語（見出し語）に対応する説明情報が該当する辞書（２２ｂ）から読み出され、説明情報表示画面Ｇとしてタッチパネル式表示部１６に表示される（ステップＴ７）。
【００５１】
したがって、前記構成の電子辞書装置１０による第１実施形態の単語帳登録機能によれば、辞書検索された単語について単語帳への登録を指示すると、登録方式選択ウインドウＷ１が表示され、同ウインドウＷ１にてブックマーク方式での登録「はい」を選択すると、単語帳データメモリ２２ｃに前記登録指示された単語とその辞書名および読み出し方式“ブックマーク”とが対応付けられて登録される。そして、登録単語一覧画面Ｇ１にてユーザにより選択された単語が、ブックマーク方式で登録されている場合には、該当する辞書から同単語を含む前後複数の見出し語が読み出され見出し語一覧画面Ｇ２として表示される。この見出し語一覧画面Ｇにてユーザ任意の見出し語が指定されると、この指定の見出し語に対応する説明情報が読み出されて表示される。
【００５２】
このため、単語帳に登録した任意の単語を読み出す際に、当該登録単語に連なって辞書に集録されている関連する単語も合わせて読み出して一覧表示することができ、書籍の辞書のように単語を学習し理解することができる。
【００５３】
特に英語系辞書において、例えば英単語「interesting」の周辺には「interest」「interestingly」など近い意味の派生型単語が集録されている。このため、単語帳登録した単語を読み出す場合、先ず同単語を含んだ見出し語一覧として読み出し表示させることで、書籍の辞書のように単語を効果的に学習できる。
【００５４】
（第２実施形態）
この第２実施形態の辞書検索処理において、辞書検索された単語を「登録」キー１４ｇを操作して単語帳に登録する場合、前記第１実施形態のように、登録方式選択ウインドウＷ１（図６（Ｂ）参照）は表示されない。そして、単語帳データメモリに登録される単語には、辞書名だけが対応付けられて記憶され、読み出し方式は記憶されない。
【００５５】
図７は、前記電子辞書装置１０による第２実施形態の単語帳読み出し処理を示すフローチャートである。
【００５６】
図８は、前記電子辞書装置１０による第２実施形態の単語帳読み出し処理に伴うユーザ操作に応じた表示動作を示す図である。
【００５７】
単語帳を見たい場合に、図８に示すように、「単語帳」キー１４ｆが操作されると、単語帳データメモリに登録された各単語がその辞書名に対応付けて読み出され、登録単語一覧画面Ｇ１としてタッチパネル式表示部１６に表示される（ステップＰ１）。
【００５８】
この登録単語一覧画面Ｇ１において、カーソルＣを操作移動させてユーザ所望の単語「success」が選択されると（ステップＰ２）、同単語を見出し語一覧として読み出す「ブックマーク」か、または説明情報として読み出す「意味・説明」かを指定するための出力指定ウインドウＷ２が表示される（ステップＰ３）。
【００５９】
この出力指定ウインドウＷ２において、ユーザ操作に従い、前記単語帳から選択された単語を見出し語一覧として読み出す「ブックマーク」が指定されたと判断されると（ステップＰ４（Ｙｅｓ））、同選択された単語（見出し語）「success」が集録されている［英和辞書］（２２ｂ）から、同単語を中央に含めその前後に表示可能な各見出し語が読み出される。そして、図６（Ｄ）で示したように、見出し語一覧エリアＡｍと説明情報プレビューエリアＡｓからなる見出し語一覧画面Ｇ２が、タッチパネル式表示部１６に表示される（ステップＰ５）。
【００６０】
この際、単語帳（２２ｃ）から選択された単語「success」と共に、その前後に連なり辞書に記憶されている関係する単語（見出し語）も読み出されて一覧表示されるので、登録単語の前後にある単語も必要に応じて調べることが可能になり、書籍の辞書のように単語を学習し理解することができる。
【００６１】
この見出し語一覧画面Ｇ２において、見出し語一覧エリアＡｍのカーソルＣを操作移動させてユーザ所望の見出し語が指定されると（ステップＰ６）、同指定の見出し語が前記［英和辞書］（２２ｂ）から検索されると共に同見出し語に対応する説明情報が読み出され、説明情報表示画面Ｇとしてタッチパネル式表示部１６に表示される（ステップＰ７）。
【００６２】
一方、前記登録単語一覧画面Ｇ１に表示させた出力指定ウインドウＷ２において、選択された単語「success」を説明情報として読み出す「意味・説明」が指定されたと判断されると（ステップＰ４（Ｎｏ））、同単語（見出し語）に対応する説明情報が該当する辞書（２２ｂ）から読み出され、説明情報表示画面Ｇとしてタッチパネル式表示部１６に表示される（ステップＰ８）。
【００６３】
したがって、前記構成の電子辞書装置１０による第２実施形態の単語帳登録機能によれば、辞書検索された単語について単語帳への登録を指示すると、単語帳データメモリに前記登録指示された単語とその辞書名とが対応付けられて登録される。そして、登録単語一覧画面Ｇ１にてユーザにより単語が選択されると、同選択された単語を見出し語一覧にして表示させる「ブックマーク」か否かのユーザによる指定を促す出力指定ウインドウＷ２が表示され、「ブックマーク」が指定された場合は、該当する辞書から同単語を含む前後複数の見出し語が読み出され見出し語一覧画面Ｇ２として表示される。この見出し語一覧画面Ｇにてユーザ任意の見出し語が指定されると、この指定の見出し語に対応する説明情報が読み出されて表示される。
【００６４】
このため、単語帳に登録した任意の単語を読み出す際に、当該登録単語に連なって辞書に集録されている関連する単語も合わせて読み出して一覧表示することができ、書籍の辞書のように単語を学習し理解することができる。
【００６５】
（他の実施形態）
前記第１実施形態では、辞書検索処理に伴う単語帳登録に際して、登録方式選択ウインドウＷ１にて“ブックマーク”による登録を選択した場合は、登録対象の単語を“ブックマーク”の読み出し方式として単語帳データメモリ２２ｃ（図３参照）に登録し、そうでない場合は、“普通”の読み出し方式として同メモリ２２ｃに登録した。
【００６６】
これに対し、前記登録方式選択ウインドウＷ１にて“ブックマーク”による登録を選択した場合は、登録対象の単語を“ブックマーク”の読み出し方式専用の単語帳データメモリに登録し、そうでない場合は、“普通”の読み出し方式専用の単語帳データメモリに登録する構成とする。そして、前記“ブックマーク”の読み出し方式専用の単語帳データメモリに登録された単語と、“普通”の読み出し方式専用の単語帳データメモリに登録された単語とを区別して一覧表示させ、カーソルＣにより指定された単語が前記何れの読み出し方式専用の単語帳データメモリに登録されているかに応じて、見出し語一覧画面Ｇ２として表示したり、説明情報表示画面Ｇとして表示したりしてもよい。
【００６７】
また、単語帳登録された単語を、ブックマーク方式により読み出して見出し語一覧画面Ｇ２を表示させるか、普通方式により読み出して説明情報表示画面Ｇを表示させるかについては、ユーザによる指定操作に起因することなく、対象単語の品詞等に応じて自動で判断する構成としてもよい。
【００６８】
なお、前記各実施形態において記載した電子辞書装置１０による各処理の手法、すなわち、図４のフローチャートに示す第１実施形態の辞書検索処理、図５のフローチャートに示す第１実施形態の単語帳読み出し処理、図７のフローチャートに示す第２実施形態の単語帳読み出し処理などの各手法、及び各種のデータ（２２ｂ，２２ｃ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、電子機器のコンピュータは、この外部記憶媒体２３に記憶されたプログラムを記憶装置（２２）に読み込み、この読み込んだプログラムによって動作が制御されることにより、前記各実施形態において説明した単語帳登録機能を実現し、前述した手法による同様の処理を実行することができる。
【００６９】
また、前記各手法を実現するためのプログラムのデータは、プログラムコードの形態としてネットワークＮ上を伝送させることができ、このプログラムデータを、ネットワークＮに接続された電子機器のコンピュータに通信制御部（２５）によって取り込むことで、前述した単語帳登録機能を実現することもできる。
【００７０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７１】
１０  …単語帳登録機能を備えた電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る」キー
１４ｅ…カーソルキー
１４ｆ…「単語帳」キー
１４ｇ…「登録」キー
１５  …手書き入力部
１５ｄ…カラー液晶表示部
１５ｔ…透明タッチパネル
１６  …タッチパネル式表示部
１６ｄ…カラー液晶表示部
１６ｔ…透明タッチパネル
２１  …ＣＰＵ
２２  …主記憶装置
２２ａ…装置制御プログラム
２２ｂ…辞書データベース
２２ｃ…単語帳データメモリ
２３  …外部記憶媒体
２４  …記憶媒体読み書き部
２５  …外部インターフェイス
２６  …ＲＡＭ
３０  …Ｗｅｂサーバ
Ｇ    …説明情報表示画面
Ｇ１  …登録単語一覧画面
Ｇ２  …見出し語一覧画面
Ａｍ  …見出し語一覧エリア
Ａｓ  …説明情報プレビューエリア
Ｗ１  …登録方式選択ウインドウ
Ｗ２  …出力指定ウインドウ
Ｃ    …カーソル
【図１】
0005482516.tif 000002
【図２】
0005482516.tif 000003
【図３】
0005482516.tif 000004
【図４】
0005482516.tif 000005
【図５】
0005482516.tif 000006
【図６】
0005482516.tif 000007
【図７】
0005482516.tif 000008
【図８】
0005482516.tif 000009